(57)【要約】【課題】  移動体通信端末を無くしたりして、利用者の手元に移動通信端末が無くても、移動通信端末が受信したメールの内容を手間を要さずに容易に確認することができる移動通信端末を提供する。【解決手段】  本移動体通信端末は、通信手段と転送先情報記憶手段と制御手段とを備える。通信手段は、通信ネットワークを介して通信を行う。転送先情報記憶手段は、受信したメールを転送する転送先のメールアドレスの情報を記憶する。制御手段は、通信手段でメールを受信したとき、その受信したメールを転送先のメールアドレスに自動転送するように通信手段を制御する。【選択図】  図６
2006128965.tif 000002
【特許請求の範囲】
【請求項１】
通信ネットワークを介して通信を行う通信手段を備えた移動体通信端末であって、
受信したメールを転送する転送先のメールアドレスの情報を記憶する転送先情報記憶手段と、
該通信手段でメールを受信したとき、該受信したメールを該転送先のメールアドレスに自動転送するように該通信手段を制御する制御手段とを備えたことを特徴とする移動体通信端末。
【請求項２】
請求項１の移動体通信端末において、
上記受信したメールを自動転送する自動転送動作モードと、上記受信したメールを自動転送しない通常動作モードとを選択的に実行可能に構成し、
該自動転送動作モード及び該通常動作モードのいずれかを利用者が選択するためのメール動作モード選択手段を備えたことを特徴とする移動体通信端末。
【請求項３】
請求項２の移動体通信端末において、
外部の通信端末から通信ネットワークを介してモード切り換え指令を受信したときに、該モード切り換え指令に基づいて、上記自動転送動作モードと上記通常動作モードとの間で動作モードを切り換えるモード切り換え手段を備えたことを特徴とする移動体通信端末。
【請求項４】
請求項１乃至３のいずれかの移動体通信端末において、
上記制御手段は、上記受信したメールが移動体通信ネットワークのＳＭＳ（Short Message Service）で送受信されるＳＭＳメールである場合は、そのＳＭＳメールの形式で上記転送先のメールアドレスに該受信メールを自動転送し、上記受信したメールがインターネットを介して送受信される電子メールである場合は、その電子メールの形式で上記転送先のメールアドレスに該受信メールを自動転送するように制御することを特徴とする移動体通信端末。
【請求項５】
請求項１乃至４のいずれかの移動体通信端末において、
上記制御手段は、上記転送先のメールアドレスに転送するメールに、該メールが当該移動体通信端末から転送されたメールであることを示す転送情報を付加して転送するように制御することを特徴とする移動体通信端末。
【請求項６】
請求項５の移動体通信端末において、
上記制御手段は、上記受信したメールが移動体通信ネットワークのＳＭＳ（Short Message Service）で送受信されるＳＭＳメールである場合、該受信したＳＭＳメールに上記転送情報を付加した結果、上記転送するメールのデータサイズがＳＭＳメールの仕様のデータサイズを越えたときに、インターネットを介して送受信される電子メールに切り換えて自動転送するように制御することを特徴とする移動体通信端末。
【請求項７】
請求項２乃至６のいずれかの移動体通信端末において、
上記自動転送動作モードに対応付けて、上記転送メールを送信する転送時間情報を記憶する転送時間情報記憶手段と、該転送時間情報を利用者が入力するための転送時間情報入力手段と、計時手段とを備え、
上記制御手段は、該計時手段の出力に基づいて、該転送時間情報で規定される時間帯だけ上記受信したメールを上記転送先のメールアドレスに自動転送するように制御することを特徴とする移動体通信端末。
【請求項８】
請求項２乃至７のいずれかの移動体通信端末において、
画像を表示する表示手段を備え、
上記制御手段は、上記自動転送動作モードが選択されているときに、該自動転送動作モードが選択されている旨を示す画像を該表示手段の画面の一部に表示するように制御することを特徴とする移動体通信端末。
【請求項９】
請求項２乃至８のいずれかの移動体通信端末において、
上記自動転送動作モードが選択されている旨を利用者に報知するモード報知手段を備え、
上記制御手段は、利用者が当該移動体通信端末の使用を開始したときに、上記自動転送動作モードが選択されているか否かを判断し、該自動転送動作モードが選択されていると判断したときに、該自動転送動作モードが選択されている旨を該モード報知手段で報知するように制御することを特徴とする移動体通信端末。
【請求項１０】
請求項１乃至９のいずれかの移動体通信端末において、
複数の通信相手先について電話番号またはメールアドレスを含む宛先情報を記憶する宛先情報記憶手段と、
上記通信手段で電話またはメールが着信したときに、該着信を音または振動で利用者に通知する着信通知手段とを備え、
上記制御手段は、上記通信手段で電話またはメールが着信したときに、その発信元の電話番号またはメールアドレスが該宛先情報記憶手段に保存されているか否かを判断し、該発信元の電話番号またはメールアドレスが保存されている場合のみ、電話またはメールが着信した旨を該着信通知手段で通知するように制御することを特徴とする移動体通信端末。
【請求項１１】
請求項１０の移動体通信端末において、
上記宛先情報記憶手段に保存されている電話番号またはメールアドレスに対応する電話またはメールに対してのみ音または振動で着信を通知する発信元限定のサイレント着信動作モードと、すべての電話またはメールに対して音または振動で着信を通知する通常着信動作モードとを実行可能に構成し、
該サイレント着信動作モード及び該通常着信動作モードのいずれかを利用者が選択するための着信動作モード選択手段を備えたことを特徴とする移動体通信端末。
【請求項１２】
請求項１１の移動体通信端末において、
上記制御手段は、上記サイレント着信動作モードが選択されているときに、該サイレント着信動作モードが選択されている旨を示す画像を上記表示手段の画面の一部に表示するように制御することを特徴とする移動体通信端末。
【発明の詳細な説明】
【技術分野】
【０００１】
本発明は、通信ネットワークを介して通信可能な携帯電話機等の移動体通信端末に関するものである。
【背景技術】
【０００２】
従来、この種の移動体通信端末として、他の利用者と音声による会話ができる通話機能や、通信ネットワークを介して他の利用者とメールのやり取りができるメール送受信機能を有する携帯電話機が知られている。このような携帯電話機等の移動体通信端末は携帯性に優れているため、その利用者は、外出先など様々な場所で、電話を受けたりメールを受信したりすることができる。利用者は、受信したメールに対してすぐにその内容を確認することができるため、緊急を要する内容や、早急に回答の欲しい内容のメールを移動体通信端末に送信することが多い。しかしながら、携帯性に優れる結果、移動体通信端末を無くしてしまったり、どこかに忘れてしまったりする場合がある。このように、移動体通信端末をなくしたり忘れたりすると、移動体通信端末が利用者の手元に戻るまで移動体通信端末で受信したメールの内容を確認することができないという問題があった。
【０００３】
そこで、特許文献１には、リモート操作で移動体通信端末が受信した未読メールを任意のアドレスに転送することができるものが記載されている。具体的には、外出先の通信端末から自分の移動体通信端末宛にキーワードと転送先のアドレスとを含むメールを送信する。移動体通信端末は、受信メール中に、予め登録されたキーワードとアドレスとが含まれる場合に、その移動体通信端末内に記憶している受信メールのうち未読メールを読み出して上記転送先のアドレスに送信する。これにより、移動体通信端末から、転送先の通信先宛のメールを管理するメールサーバに未読メールが転送される。その結果、移動体通信端末が利用者の手元になくても、通信端末から上記メールサーバにアクセスすることで移動体通信端末が受信した未読メールを読むことができる。
【０００４】
【特許文献１】特開２００２−２３２５５７号公報
【発明の開示】
【発明が解決しようとする課題】
【０００５】
しかしながら、特許文献１の場合は、移動体通信端末が受信したメールを任意の通信端末から読むためには、移動体通信端末宛にキーワードと転送先のアドレスとを含むメールを送信する必要がある。このため、移動体通信端末が受信した未読メールを任意の通信端末で読むのに手間を要するという問題があった。
【０００６】
本発明は、上記問題に鑑みなされたものであり、その目的とするところは、移動体通信端末を無くしたりして、利用者の手元に移動体通信端末が無くても、移動体通信端末が受信したメールの内容を手間を要さずに容易に確認することができる移動体通信端末を提供することである。
【課題を解決するための手段】
【０００７】
上記目的を達成するために、請求項１の発明は、通信ネットワークを介して通信を行う通信手段を備えた移動体通信端末であって、受信したメールを転送する転送先のメールアドレスの情報を記憶する転送先情報記憶手段と、該通信手段でメールを受信したとき、該受信したメールを該転送先のメールアドレスに自動転送するように該通信手段を制御する制御手段とを備えたことを特徴とするものである。
また、請求項２の発明は、請求項１の移動体通信端末において、上記受信したメールを自動転送する自動転送動作モードと、上記受信したメールを自動転送しない通常動作モードとを選択的に実行可能に構成し、該自動転送動作モード及び該通常動作モードのいずれかを利用者が選択するためのメール動作モード選択手段を備えたことを特徴とするものである。
また、請求項３の発明は、請求項２の移動体通信端末において、外部の通信端末から通信ネットワークを介してモード切り換え指令を受信したときに、該モード切り換え指令に基づいて、上記自動転送動作モードと上記通常動作モードとの間で動作モードを切り換えるモード切り換え手段を備えたことを特徴とするものである。
また、請求項４の発明は、請求項１乃至３のいずれかの移動体通信端末において、上記制御手段は、上記受信したメールが移動体通信ネットワークのＳＭＳ（ShortMessageService）で送受信されるＳＭＳメールである場合は、そのＳＭＳメールの形式で上記転送先のメールアドレスに該受信メールを自動転送し、上記受信したメールがインターネットを介して送受信される電子メールである場合は、その電子メールの形式で上記転送先のメールアドレスに該受信メールを自動転送するように制御することを特徴とするものである。
また、請求項５の発明は、請求項１乃至４のいずれかの移動体通信端末において、上記制御手段は、上記転送先のメールアドレスに転送するメールに、該メールが当該移動体通信端末から転送されたメールであることを示す転送情報を付加して転送するように制御することを特徴とするものである。
また、請求項６の発明は、請求項５の移動体通信端末において、上記制御手段は、上記受信したメールが移動体通信ネットワークのＳＭＳ（ShortMessageService）で送受信されるＳＭＳメールである場合、該受信したＳＭＳメールに上記転送情報を付加した結果、上記転送するメールのデータサイズがＳＭＳメールの仕様のデータサイズを越えたときに、インターネットを介して送受信される電子メールに切り換えて自動転送するように制御することを特徴とするものである。
また、請求項７の発明は、請求項２乃至６のいずれかの移動体通信端末において、上記自動転送動作モードに対応付けて、上記転送メールを送信する転送時間情報を記憶する転送時間情報記憶手段と、該転送時間情報を利用者が入力するための転送時間情報入力手段と、計時手段とを備え、上記制御手段は、該計時手段の出力に基づいて、該転送時間情報で規定される時間帯だけ上記受信したメールを上記転送先のメールアドレスに自動転送するように制御することを特徴とするものである。
また、請求項８の発明は、請求項２乃至７のいずれかの移動体通信端末において、画像を表示する表示手段を備え、上記制御手段は、上記自動転送動作モードが選択されているときに、該自動転送動作モードが選択されている旨を示す画像を該表示手段の画面の一部に表示するように制御することを特徴とするものである。
また、請求項９の発明は、請求項２乃至８のいずれかの移動体通信端末において、上記自動転送動作モードが選択されている旨を利用者に報知するモード報知手段を備え、上記制御手段は、利用者が当該移動体通信端末の使用を開始したときに、上記自動転送動作モードが選択されているか否かを判断し、該自動転送動作モードが選択されていると判断したときに、該自動転送動作モードが選択されている旨を該モード報知手段で報知するように制御することを特徴とするものである。
また、請求項１０の発明は、請求項１乃至９のいずれかの移動体通信端末において、複数の通信相手先について電話番号またはメールアドレスを含む宛先情報を記憶する宛先情報記憶手段と、上記通信手段で電話またはメールが着信したときに、該着信を音または振動で利用者に通知する着信通知手段とを備え、上記制御手段は、上記通信手段で電話またはメールが着信したときに、その発信元の電話番号またはメールアドレスが該宛先情報記憶手段に保存されているか否かを判断し、該発信元の電話番号またはメールアドレスが保存されている場合のみ、電話またはメールが着信した旨を該着信通知手段で通知するように制御することを特徴とするものである。
また、請求項１１の発明は、請求項１０の移動体通信端末において、上記宛先情報記憶手段に保存されている電話番号またはメールアドレスに対応する電話またはメールに対してのみ音または振動で着信を通知する発信元限定のサイレント着信動作モードと、すべての電話またはメールに対して音または振動で着信を通知する通常着信動作モードとを実行可能に構成し、該サイレント着信動作モード及び該通常着信動作モードのいずれかを利用者が選択するための着信動作モード選択手段を備えたことを特徴とするものである。
また、請求項１２の発明は、請求項１１の移動体通信端末において、上記制御手段は、上記サイレント着信動作モードが選択されているときに、該サイレント着信動作モードが選択されている旨を示す画像を上記表示手段の画面の一部に表示するように制御することを特徴とするものである。
【０００８】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末における制御は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００９】
本発明によれば、通信手段で受信したメールを、転送先情報記憶手段に記憶されている転送先のメールアドレスに受信したメールを自動転送する。これにより、移動体通信端末をなくしたりして、移動体通信端末が手元になくても、上記転送先のメールアドレスに対応する任意の通信端末において、移動体通信端末が受信したメールの内容を確認することができる。特に、本発明によれば、移動体通信端末に対してキーワードと所望のアドレスとを含むメールを送信する必要がないので、移動体通信端末が受信したメールの内容を任意の通信端末から手間を要さずに容易に確認することができる。
【発明を実施するための最良の形態】
【００１０】
以下、本発明を移動体通信端末としての携帯電話機に適用した実施形態について説明する。
〔実施形態１〕
図１は本発明の第１の実施形態に係る携帯電話機１０を用いて通話及びメール送受信を行うための通信システムの概略構成図である。この通信システムは、複数の携帯電話機１０と、通信ネットワークとしての携帯電話通信網２０とを備えている。
携帯電話通信網２０は、基地局２０１、交換機（回線交換機、パケット交換機）２０２、ショートメッセージサービスセンター（ＳＭＳＣ）２０３、大容量データ転送システム（ＤＡＳ）２０４、メールゲートウェイシステム２０５、ウェブゲートウェイシステム２０６、情報配信装置２０７等を備えている。また、携帯電話機１０によるパケット通信を可能にするために、データ通信用接続制御手段としてのアクセス制御システム２１０、及びＩＰネットワーク（パケット通信網）２１１も備えている。ＩＰネットワーク（パケット通信網）２１１には、パケット通信による各種サービスを提供するために、メールサーバ２１２、ウェブサーバ２１３及びゲートウェイサーバ２１４等が接続されている。これらの携帯電話通信網２０を構成する構成要素の間や、携帯電話通信網２０と他の通信ネットワーク（公衆回線網３０、インターネット４０）との間は、有線又は無線の伝送媒体で結ばれている。
【００１１】
上記交換機２０２は、図示しない位置登録データベース（ＨＬＲ，ＶＬＲ）、加入者データベース、課金システム等が接続され、各携帯電話機間における通信を中継するように通信制御を行う。更に、交換機２０２は、各携帯電話機と、携帯電話通信網２０内の構成要素（ショートメッセージサービスセンター２０３、大容量データ転送システム２０４、情報配信装置２０７、アクセス制御システム２１０等）との間における通信を中継するように通信制御を行う。また、交換機２０２は、各携帯電話機と、他の公衆回線網３０との間における通信を中継するように通信制御を行う。
【００１２】
例えば、図１において、交換機２０２は、図中の利用者Ａの携帯電話機１０から利用者Ｂ宛の電話の発呼（呼び出し）があった場合に、携帯電話機１０からの発呼信号を中継し利用者Ｂの携帯電話機１０’に転送するように通信制御を行う。利用者Ａからの発呼に利用者Ｂが応答して着呼した後、交換機２０２は、携帯電話機１０，１０’間で通話用の通信回線を確立し両者間の通話用の通信を中継するように通信制御を行う。また、図中の利用者Ａの携帯電話機１０から利用者Ｂ宛のメール送信があった場合に、携帯電話機１０からのメールデータを中継し、ショートメッセージサービスセンター２０３や大容量データ転送システム２０４を介して、メールゲートウェイシステム２０５に接続されている図示しないメールサーバ（ポストオフィス）に転送するように通信制御を行う。更に、利用者Ａからのメールのすべてのデータを受信できていない場合に残りのメールデータを受信するときは、利用者Ｂの携帯電話機１０’とメールサーバ（ポストオフィス）との間のメールデータ送受信のための通信を中継するように通信制御する。
【００１３】
上記ショートメッセージサービスセンター２０３及び大容量データ転送システム２０４は、上記交換機２０２と、メールゲートウェイシステム２０５及びウェブゲートウェイシステム２０６との間に接続され、携帯電話機１０と両ゲートウェイシステム２０５、２０６との間のデータ送受信のための処理や、携帯電話機１０とのセッション制御を行う。特に、ショートメッセージサービスセンター２０３を配信ベアラとして使用した場合は、文字数制限付きのテキストからなるＳＭＳメール等の小容量のデータ通信を効率的に行うことができる。また、上記大容量データ転送システム２０４を配信ベアラとして使用した場合は、ショートメッセージサービス（ＳＭＳ）では困難であった長文のメール、画像データあるいは音楽データ等の大容量データを携帯電話機１０に転送することが容易になる。
【００１４】
上記メールゲートウェイシステム２０５は、インターネット４０及びメール蓄積のための図示しないメールサーバ（ポストオフィス）に接続され、メールデータ等の転送制御を行なう。また、ウェブゲートウェイシステム２０６は、携帯電話機１０からインターネット４０上のウェブサイトなどのアクセスするときのデータ転送制御を行う。
【００１５】
上記情報配信装置２０７は、情報サービス提供元（ＩＰ／ＳＰ）から取得したテキスト、音楽、画像、アプリケーションプログラム等の情報（コンテンツ）が蓄積されている。そして、情報配信装置２０７は、所定のタイミングで携帯電話機１０に対して上記各種情報を配信したり、携帯電話機１０の利用者からの要求に応じて上記各種情報を配信したりする。
【００１６】
上記アクセス制御システム２１０は、携帯電話機１０から交換機（パケット交換機）２０２を介して所定のＵＲＬのデータ通信先へ接続するときに、論理回線を確立してパケットをルーティングするようにデータ通信を制御する。例えば、携帯電話機１０からの要求に応じて、ＩＰネットワーク２１１に接続されたメールサーバ２１２やウェブサーバ２１３と携帯電話機１０との間で論理回線を確立し、両者の間でパケットメールやウェブページのデータをルーティングするようにデータ通信を制御する。また、携帯電話機１０からインターネット４０上のＷＷＷサーバへアクセスするときは、ＩＰネットワーク２１１内でルーティングされたパケットが、ファイヤーウォールを構成するプロキシサーバなどからなるゲートウェイサーバ２１４を介してインターネット４０側とやり取りされる。
【００１７】
図２は本発明の実施形態に係る携帯電話機の概略構成を示すブロック図である。図３は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６、計時手段としての時計部１２７とを備えている。
【００１８】
上記主制御部１２０は、例えばＣＰＵ、キャッシュメモリ、ＲＯＭ、システムバス等で構成され、所定の制御プログラムを実行することにより、内部メモリ１２１や無線通信部１２２、時計部１２７等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、データ入力キー（テンキー、＊キー、＃キー）２１、通話開始キー２２、終話キー２３、スクロールキー２４、多機能キー２５等で構成されたキー操作部１２６も接続されている。
【００１９】
また、上記主制御部１２０は、メールを受信したときの自動転送処理を行う制御手段として機能する。すなわち、主制御部１２０は、無線通信部１２２でメールを受信したときに、内部メモリ１２１から転送先メールアドレスを読み出し、上記受信したメールを転送先に送信するように無線通信部１２２を制御する。更に、この主制御部１２０は、上記受信メールを転送する自動転送動作モードと、上記受信メールを転送しない通常動作モードとを選択的に実行可能に構成されている。
【００２０】
また、上記制御部１２０は、外部の通信端末から通信ネットワークを介して、切り換え信号を受信したときに、通常動作モードから自動転送動作モードに切り換えるモード切り換え手段として用いられる。
【００２１】
また、主制御部１２０は、メールや電話を受信したときに音出力処理を行う制御手段として機能する。すなわち、主制御部１２０は、無線通信部１２２でメール・電話を受信したときに、内部メモリ１２１からアドレス帳（メモリダイヤル）を読み出す。そして、上記受信したメール・電話の宛先情報としての電話番号やメールアドレスが内部メモリ１２１のアドレス帳（メモリダイヤル）に登録されているか否かを判断し、その発信元の宛先情報（電話番号、メールアドレス）が保存されていない場合は、音、バイブレータを鳴らさないように音信号処理部１２３を制御する。この主制御部１２０は、上記メモリダイヤルに登録した人以外の電話・メールに対して音やバイブレータを鳴らさないサイレント着信動作モード（以下「サイレントモード」という）と、すべて電話・メールに対して音やバイブレータを鳴らす通常着信動作モードとを選択的に実行可能に構成されている。
【００２２】
上記内部メモリ１２１は、例えばＲＡＭやＲＯＭなどの半導体メモリで構成され、主制御部１２０で実行する制御プログラムや各種データを記憶するものである。また、この内部メモリ１２１は、情報提供サイトなどからダウンロードした画像、音楽、プログラム等のコンテンツデータを記憶するコンテンツデータ記憶手段としても用いられる。更に、この内部メモリ１２１は、スピーカ１０９から出力する音のデータを記憶する音データ記憶手段としても用いられる。
更に、上記内部メモリ１２１は、表示部１２５に表示する表示対象の画像を記憶するための画像記憶手段や、表示部１２５を構成する液晶ディスプレイ１１０の画面の全画素に対応する描画データを記憶するための描画データ記憶手段としても用いられる。
また、上記内部メモリ１２１は、複数の宛先情報である電話番号（端末識別情報）やメールアドレスを記憶するアドレス記憶手段（宛先情報記憶手段）としても用いられる。更に、内部メモリ１２１は、自動転送動作モードそれぞれに対応付けて、上記受信メールを転送先に転送する転送時間情報を記憶する転送時間情報記憶手段としても用いられる。
なお、これらの記憶手段としては、上記内部メモリ１２１ではなく、携帯電話機本体に着脱可能なメモリーカード、ＩＣカード等の記憶媒体を用いてもよい。
【００２３】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存している画像等が表示される。
【００２４】
上記スピーカ１０９は、音信号処理部１２３でデジタル信号から変換されたアナログ信号が入力され、通話中の音声を出力したり、メールの着信音、電話の呼び出し音、音楽などを出力したりする。なお、上記スピーカ１０９は、図４に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００２５】
上記表示部１２５は、自動転送動作モードやサイレントモードが選択されている旨を利用者に報知する報知手段としても用いられる。例えば、表示部１２５のディプレイ画面のピクト領域に、自動転送動作モードやサイレントモードが選択されている旨を利用者に知らせるための所定のピクト画像を表示する。
【００２６】
上記キー操作部１２６は、利用者が通話開始、終話、メニュー選択、画面切り換え等を指示したり情報を入力したりするときに用いられるほか、メール自動転送に関連した各種選択手段や各種情報入力手段としても用いられる。すなわち、キー操作部１２６は、動作モード選択手段、転送モード実行時間情報入力手段としても用いられる。
例えば、動作モード選択手段としてのキー操作部１２６は、受信メールを転送する自動転送動作モード及び受信メールを転送しない通常動作モードのいずれかを利用者が選択するときに操作される。また、上記サイレントモードや通常着信動作モードを利用者が選択するときにも操作される。
また、転送時間情報入力手段としてのキー操作部１２６は、上記自動転送動作モードに対応付けて、受信メールを転送する転送モード実行時間情報を利用者が入力するときに操作される。
【００２７】
上記時計部１２７は、正確な日時を計数し、更新処理等のための時刻情報を生成する。この時計部１２７の出力は、上記キー操作部１２６を利用者が操作して入力した転送時間情報で規定される特定の時間帯だけ上記受信メールの転送動作を実行する制御にも用いられる。
【００２８】
上記マイク１０８は、利用者の音声を電気信号（アナログ信号）に変換する。マイク１０８から出力される音声の電気信号（アナログ信号）は、音信号処理部１２３に入力され、デジタル信号に変換される。
なお、マイク１０８は、上記動作モード選択手段、自動転送モード選択手段、メッセージ情報入力手段、転送時間情報入力手段、及び識別情報入力手段として用いることもできる。この場合、利用者が自動転送モードを選択したり上記各種情報を入力したりするときに発した音声が、マイク１０８によって入力される。主制御部１２０は、このマイクで入力された利用者の音声信号について音声認識処理を実行することにより利用者が発した音声を認識し、利用者がどのような動作モードを選択したか又はどのような情報を入力されたかを判断することができる。
【００２９】
また、本実施形態の携帯電話機１０は、上記サイレントモードや通常着信動作モードの機能とは別にマナーモード機能を備えており、利用者がキー操作部１２６に対し所定の操作を行うことで、その機能を発揮させることができる。このマナーモード機能が有効であるとき（マナーモード設定時）、上記無線通信部１２２で情報を着信した旨を利用者に通知するための着信音は、スピーカ１０９から出力されない。よって、その着信通知は、ディスプレイ１１０に表示される着信通知画像と、バイブレータによる振動によって行われる。
【００３０】
図４は、上記構成の携帯電話機における自動転送動作モードの設定処理のフローチャートである。
まず、利用者は、携帯電話機１０のキー操作部１２６を操作し、ディスプレイ１１０に図５（ａ）のメール設定画面を表示させる（ステップ１）。そして、この図５（ａ）のメール設定画面上で利用者が「自動転送メール」をポイントして「選択」ボタンをクリックすると、図５（ｂ）の自動転送メール設定画面がディスプレイ１１０に表示される（ステップ２）。利用者は、この自動転送メール設定画面上で自動転送動作モードのＯＮ／ＯＦＦを選択することができる。
【００３１】
図５（ｂ）の自動転送設定画面上で利用者が「ＯＦＦ」をポイントして「選択」ボタンをクリックすると、受信メールを転送しない通常動作モードに設定される（ステップ３のＮＯ）。一方、図５（ｂ）の自動転送設定画面上で利用者が「ＯＮ」をポイントして「選択」をクリックすると、受信メールを転送する自動転送動作モードに設定され、図５（ｃ）の設定画面がディスプレイ１１０に表示される（ステップ３のＹＥＳ、４）。まず、設定画面の転送先アドレス入力欄にキーを操作して転送先アドレスを入力する。なお、以前に転送先アドレスを入力している場合は、転送先アドレス入力欄に以前入力した転送先アドレスを表示する。次に、転送時間を指定する。自動転送時間指定を「ＯＦＦ」に設定した場合は、利用者が自動転送動作モードの設定を解除しない限り、自動転送動作モードが有効となる。自動転送時間指定を「ＯＮ」に設定した場合は、自動転送動作モードの有効時間を設定する。なお、図５（ｃ）においては、自動転送動作モードの有効時間は、開始時刻と終了時刻とを入力することで有効時間を規定しているが、図５（ｅ）に示すように、有効時間を直接入力して規定するようにしても良い。このように、転送先アドレスおよび自動転送時間を設定して、「ＯＫ」ボタンをクリックすると、その設定した転送先アドレス及び自動転送時間の入力データが内部メモリ１２１の所定領域に保存される（ステップ５）。その後、図５（ｄ）に示す設定完了画面がディスプレイ１１０に表示される（ステップ６）。
【００３２】
また、上記自動転送動作モードは、外部の通信端末から携帯電話機１０をリモート操作して設定することができる。この場合、利用者がパーソナルコンピュータ等の外部の通信端末から通信ネットワークを介して携帯電話機１０にアクセスする。例えば、外部の通信端末から携帯電話機１０にメールでパスワードデータを携帯電話機１０に送信する。主制御部１２０は、外部の通信端末から送信されたパスワードデータと、予め携帯電話機１０内のＲＡＭ等に記憶しているパスワードデータと比較する。比較の結果、ＲＡＭ等の記憶装置に記憶しているパスワードデータと外部の通信端末から送信されたパスワードデータとが一致している場合は、外部の通信端末から携帯電話機１０のリモート操作が可能となる。そして、外部の通信端末からモード切り換え指令を送信して上記受信メールを転送する自動転送動作モードに切り換える。
【００３３】
図６は、上記構成の携帯電話機１０におけるメール受信に対する自動転送処理のフローチャートである。
まず、携帯電話機１０の主制御部１２０は、他の利用者の携帯電話機等からメールを受信すると、自動転送モードが設定されているか否かを確認する（ステップ１，２）。ここで、自動転送モードが設定されていないことを確認した場合は、そのまま自動転送処理を終了する（ステップ２のＮＯ）。一方、自動転送モードが設定されていることを確認した場合、主制御部１２０は、自動転送時間が有効であるかどうかを確認する。（ステップ３）自動転送時間が有効である場合は、更にその設定されている自動転送時間内かどうかを確認する（ステップ４）。ここで、転送時間内ではない場合は、そのまま自動転送処理を終了する。一方、応答時間内である場合または、自動転送モード実行時間が有効でない場合、主制御部１２０は、受信したメールがＳＭＳメールかどうか確認する（ステップ５）。受信したメールがＳＭＳメールの場合、転送先アドレスを読み出すとともに、受信したメール本文の始めに「転送メール」という文言を入れ、さらに、転送元の情報（例えば、メールアドレス）を入れる（ステップ６、７）。受信したメール本文に「転送メール」や転送元の情報を入れたら、このメールが１２８バイト以上か否かを確認する（ステップ８）。１２８バイト以上の場合は、転送するメールをＳＭＳメールから電子メールに切り換えて送信する（ステップ９、１０）。一方、１２８バイト以下の場合は、ＳＭＳメールで送信する（ステップ１０）。
また、受信したメールが電子メールの場合は、転送先アドレスを読み出して、電子メールのタイトル欄に「転送メール」の文言を入れる（ステップ１１、１２）。このとき、もとのタイトル文はクリアせずに、もとのタイトル文の前に「転送メール」の文言を挿入する。このタイトル欄に字数（バイト数）制限がある場合は、「転送メール」の文言を挿入した残りの字数（バイト数）の範囲内で、もとのタイトル文を残すようにする。また、電子メール本文に転送元情報（例えば、メールアドレス）を入れる（ステップ１３）。受信したメールに「転送メール」や転送元の情報を入れたら、主制御部１２０は、受信したメールを転送先に送信する（ステップ１０）。
【００３４】
また、上記「転送メール」の文言をメール本文やタイトルの欄に入れる代わりに、上記転送メールであることを示す識別子等のメール識別情報をメールヘッダ内に挿入してもよい。そして、転送メールを受信した携帯電話機は、メールヘッダ内のメール識別情報に基づいて、転送メールであることを利用者に知らせるメール種別報知処理を実行するようにしてもよい。このメール種別報知処理としては、転送メールであることを示すアイコンをディスプレイ上の所定の領域（例えばピクト領域）に表示する処理や、転送メールに対応付けて予め設定した特定の音を出力する処理等がある。また、転送メールに対応付けて予め設定した特定の振動パターンで振動させる処理であってもよい。
【００３５】
携帯電話機１０から自動転送されたメールは、パーソナルコンピュータなどの任意の通信端末から読むことができる。具体的には、転送されたメールは、転送先アドレス宛のメールを管理するメールサーバに保存されている。利用者は、パーソナルコンピュータなどの任意の通信端末からこのメールサーバにアクセスすることで、携帯電話機１０から転送されたメールを受信することができる。これにより、家などに携帯電話機１０を忘れて、手元に携帯電話機１０が無くても、任意の通信端末から、転送先のメールサーバにアクセスすることで、自動転送動作モード中に携帯電話機１０が受信したメールを読むことができる。
【００３６】
また、自動転送動作モードが選択されているときに、自動転送動作モードが選択されている旨を示す画像をディスプレイ１１０の画面の一部に表示するのが好ましい。更に、利用者が携帯電話機１０の使用を開始したときに、上記自動転送動作モードが選択されているか否かを判断し、自動転送動作モードが選択されていると判断したときには、自動転送動作モードが選択されている旨をディスプレイ１１０に表示することにより、その旨を利用者に知らせるのが好ましい。
【００３７】
図７は、利用者が携帯電話機１０の使用を開始したときの処理の一例を示すフローチャートである。携帯電話機１０は、利用者による使用が開始されたときに、その使用開始を検知する（ステップ１）。この利用者による使用開始は、例えば、利用者が折り畳み式の携帯電話機１０を開くときの携帯電話機１０の筐体の変化を検知したり、利用者が使用開始時のボタン操作を検知したりすることによって検知することができる。
次に、携帯電話機１０は、上記使用開始と検知した後、自動転送動作モードが設定されているか否かを判断する（ステップ２）。ここで、自動転送動作モードが設定されていない場合は、そのまま処理を終了する（ステップ２のＮＯ）。一方、自動転送動作モードが設定されている場合は、図８に示すように「自動転送メール設定中」というメッセージをディスプレイ１１０に表示する（ステップ３）。更に、図９に示すようにディスプレイ１１０の上部にあるピクト領域に、自動転送動作モードが設定されている旨を示すピクト情報（図中の例では星形マーク）を表示する。このような表示を行うことにより、自動転送動作モードが選択されている携帯電話機１０の使用を利用者が開始するときに、利用者に対して、自動転送動作モードが実行中である旨の注意を促すことができる。更に、その後の使用中においては、自動転送動作モードが設定中である旨を利用者が知ることができる。
【００３８】
〔実施形態２〕
次に、電話の発呼（呼び出し）やメール受信したときに、その発信元の宛先情報としての電話番号やメールアドレスが内部メモリ１２１のアドレス帳（メモリダイヤル）に登録されているか否かを判断し、その発信元の宛先情報（電話番号、メールアドレス）が保存されていない場合は、音、バイブレータを鳴らさないように制御する携帯電話機について説明する。
本実施形態の携帯電話機を用いた通信システム並びに同携帯電話機のハードウェア構成及び機能ブロック図は、上記第１の実施形態と同様であるので、それらの説明は省略する。
【００３９】
図１０は、本実施形態の携帯電話機１０におけるサイレントモードの設定処理のフローチャートである。
まず、利用者は、携帯電話機１０のキー操作部１２６を操作し、ディスプレイ１１０に図１１（ａ）の各種設定画面を表示させる（ステップ１）。そして、この図１１（ａ）の設定メニュー画面上で利用者が「サイレントモード」をポイントして「選択」ボタンをクリックすると、図１１（ｂ）のサイレントモード設定画面がディスプレイ１１０に表示される（ステップ２）。利用者は、このサイレントモード設定画面上でサイレントモードのＯＮ／ＯＦＦを選択することができる。
【００４０】
図１１（ｂ）のサイレントモード設定画面上で利用者が「ＯＦＦ」をポイントして「選択」ボタンをクリックすると、すべての電話・メールの受信に際に音やバイブレーションを鳴らす通常動作モードに設定される（ステップ３のＮＯ）。一方、図１１（ｂ）のサイレントモード設定画面上で利用者が「ＯＮ」をポイントして「選択」をクリックすると、メモリダイヤルに登録されている人の電話・メールの受信のみに音やバイブレーションを鳴らすサイレントモードに設定され、図１１（ｃ）に示す設定完了画面がディスプレイ１１０に表示される（ステップ３、４）。
【００４１】
図１２は、上記サイレントモードを備えた携帯電話機１０における着信音処理のフローチャートである。
まず、携帯電話機１０の主制御部１２０は、他の利用者の携帯電話機等からメールや電話を受信すると、サイレントモードが設定されているか否かを確認する（ステップ１，２）。ここで、サイレントモードが設定されていることを確認した場合、主制御部１２０は、内部メモリ１２１のアドレス帳（メモリダイヤル）を読み出し、発信元がアドレス帳に登録されているか否か確認する（ステップ３、４）。発信元がアドレス帳に登録されていない場合は、主制御部１２０は、音やバイブレータを鳴らさないで着信音処理を終了する。一方、発信元がアドレス帳に記載されている場合、または、サイレントモードが設定されていない場合は、マナーモードが設定されているか否かを確認する。マナーモードが設定されている場合、主制御部１２０は、バイブレータを起動するように音信号処理部１２３を制御する。一方、マナーモードが設定されていない場合、主制御部１２０は、着信音を鳴らすように音信号処理部１２３を制御する。
【００４２】
なお、本実施形態においては、電話とメールの受信に対してサイレントモードを設定しているが、メールのみ、または電話のみにサイレントモードを設定してするようにしてもよい。また、サイレントモードは、上記メール・電話を受信したときアドレス帳に保存されている人のうち、メールの送受信や通話が比較的多い友人等の発信元からのメール・電話に対してのみ、音やバイブを鳴らよう設定するようにしてもよい。
【００４３】
また、上記サイレントモードにおいても、上記実施形態１と同様に、サイレントモードが選択されている旨を示す画像をディスプレイ１１０の画面の一部に表示するのが好ましい。更に、利用者が携帯電話機１０の使用を開始したときに、サイレントモードが選択されているか否かを判断し、サイレントモードが選択されていると判断したときには、サイレントモードが選択されている旨をディスプレイ１１０に表示することにより、その旨を利用者に知らせるのが好ましい。このときの処理については、実施形態１と同様であるのでそれらの説明は省略する。
【００４４】
以上、本実施形態の携帯電話機によれば、通信手段で受信したメールを、転送先情報記憶手段に記憶されている転送先のメールアドレスに自動的に転送する。この自動転送により、メールアドレスやキーワードを携帯電話機１０に送信しなくても、携帯電話機１０が受信したメールの内容を転送先の任意の通信端末から確認することができる。
また、本実施形態の携帯電話機によれば、自動転送動作モード及び通常動作モードのいずれかを利用者が選択できるようにしている。これにより、利用者の希望に応じて自動転送動作モード及び通常動作モードを選択することができる。
また、本実施形態の携帯電話機によれば、外部から通信ネットワークを介して当該携帯電話機にアクセスし、外部から通信ネットワークを介して上記自動転送動作モードを選択可能にしている。これにより、家などに携帯電話を忘れて、直接携帯電話機を操作できない場合でも、自動転送動作モードを実行可能にすることができる。例えば、転送先をウェッブメールなど、外部の通信端末から容易にアクセスできるところに設定しておけば、外部の通信端末から携帯電話機が受信したメールを容易に確認することができる。
また、本実施形態の携帯電話機によれば、受信したメールがＳＭＳメールである場合は、ＳＭＳメールで転送し、受信したメールが電子メールである場合は、電子メールで転送する。このように、受信したメールがＳＭＳメールである場合は、ＳＭＳメールで転送することで、通信ネットワークの通信負荷の増加及び利用者の通信料金の負担の増加を抑制することができる。
また、本実施形態の携帯電話機によれば、転送先に転送するメールに、携帯電話機から転送されたメールであることを転送先に知らせるための転送情報（転送元、転送メールというタイトル）を付加して転送する。これにより、携帯電話機から自動転送されて転送先で受信したメールが、上記携帯電話機から転送されたメールであることを容易に把握することができる。
また、本実施形態の携帯電話機によれば、受信したＳＭＳメールに転送情報を付加した結果、転送するメールのデータサイズがＳＭＳメールの仕様を越えた場合は、電子メールに切り換えて転送する。これにより、受信したＳＭＳメールに転送情報を付加した結果、転送するメールのデータサイズがＳＭＳメールの仕様を越えた場合でも、転送先に受信したメールを転送することができる。
また、本実施形態の携帯電話機によれば、計時手段の出力に基づいて、転送時間情報で規定される時間帯だけ受信したメールを転送する。これにより、自動転送動作モードを実行しているときに、利用者が希望する時間帯にメールを受信した場合にだけ受信したメールを自動転送できる。また、時間帯を規定することでこの時間帯が過ぎたら自動転送動作モードが自動的に解除される。これにより、会議などが終わった後、自動転送動作モードの解除を忘れて、利用者が気付くまでずっと自動転送動作モードが実行され続けることがない。
また、本実施形態の携帯電話機によれば、自動転送動作モードが選択されているときに、自動転送動作モードが選択されている旨を示す画像を表示手段の画面の一部に表示する。これにより、自動転送動作モードが実行中である旨を利用者が知ることができる。
また、本実施形態の携帯電話機によれば、自動転送動作モードが選択されているときは、利用者が携帯電話機の使用を開始したときに自動転送動作モードが選択されている旨を報知する。自動転送動作モードが選択されている携帯電話機の使用を利用者が開始するときに、利用者に対して、自動転送動作モードが実行中である旨の注意を促すことができる。
また、本実施形態の携帯電話機によれば、電話又はメールが着信したときに、その発信元の電話番号またはメールアドレス情報が宛先情報記憶手段に保存されている場合のみ、電話又はメールが着信した旨を利用者に音または振動で報知する。よって、宛先情報記憶手段に保存されていない電話やメールについては、音または振動で利用者に通知されない。その結果、宛先情報記憶手段に保存されていない、例えば、間違いや悪戯、勧誘等の電話やメールなどに対して、電話を取ったり、メールの内容を確認したりするなどの応答動作をその場で取る必要がなくなる。
また、本実施形態の携帯電話機によれば、サイレントモード及び通常着信動作モードを利用者が選択できるようにしている。これにより、利用者の希望に応じてサイレントモード及び通常動作モードを選択することできる。
また、本実施形態の携帯電話機によれば、サイレントモードが選択されているときに、サイレントモードが選択されている旨を示す画像を画面の一部に表示する。これにより、サイレントモードが実行中である旨を利用者が知ることができる。
【図面の簡単な説明】
【００４５】
【図１】本発明の第１の実施形態に係る携帯電話機を用いて通話及びメール送受信を行うための通信システムの概略構成図。
【図２】同携帯電話機の概略構成を示すブロック図。
【図３】同携帯電話機の外観構成の一例を示す正面図。
【図４】同携帯電話機における自動転送動作モードの設定処理のフローチャート。
【図５】（ａ）〜（ｅ）は同自動転送動作モードの設定処理を行っているときのディスプレイの画面遷移の説明図。
【図６】第１の実施形態の携帯電話機におけるメール受信に対する自動転送処理のフローチャート。
【図７】利用者が携帯電話機の使用を開始したときの処理を示すフローチャート。
【図８】自動転送動作モード設定を報知するメッセージ画像の一例を示す説明図。
【図９】自動転送動作モード設定を報知するピクト画像の一例を示す説明図。
【図１０】本発明の第２の実施形態に係る携帯電話機におけるサイレントモードの設定処理のフローチャート。
【図１１】（ａ）〜（ｃ）は同サイレントモードの設定処理を行っているときのディスプレイの画面遷移の説明図。
【図１２】第２の実施形態の携帯電話機における電話及びメールの着信に対する着信音処理のフローチャート。
【符号の説明】
【００４６】
１０    携帯電話機
１０’  携帯電話機
２０    携帯電話通信網
３０    公衆回線網
４０    インターネット
１２０  主制御部
１２１  内部メモリ
１２２  無線通信部
１２５  表示部
１２６  キー操作部
１２７  時計部
２０１  基地局
２０２  交換機
２０３  ショートメッセージサービスセンター
２０４  大容量データ転送システム
２０５  メールゲートウェイシステム
２０６  ウェブゲートウェイシステム
２０７  情報配信装置
２１０  アクセス制御システム
２１１  ＩＰネットワーク（パケット通信網）
２１２  メールサーバ
２１３  ウェブサーバ
２１４  ゲートウェイサーバ
【図１】
2006128965.tif 000003
【図２】
2006128965.tif 000004
【図３】
2006128965.tif 000005
【図４】
2006128965.tif 000006
【図５】
2006128965.tif 000007
【図６】
2006128965.tif 000008
【図７】
2006128965.tif 000009
【図８】
2006128965.tif 000010
【図９】
2006128965.tif 000011
【図１０】
2006128965.tif 000012
【図１１】
2006128965.tif 000013
【図１２】
2006128965.tif 000014